(57)【要約】【課題】自動車両に搭載されるインストルメントパネルに好適に用いられる表示システム、その制御方法、そのような表示システムを備えたインストルメントパネルおよび自動車両を提供する。【解決手段】本発明による表示システムは、自動車両に搭載されるインストルメントパネル用の表示システムであって、それぞれが少なくとも自動車両の速度を表示し得る第１の表示装置１０および第２の表示装置２０を備えている。【選択図】図１
2005231530.tif 000002
【特許請求の範囲】
【請求項１】
自動車両に搭載されるインストルメントパネル用の表示システムであって、
それぞれが少なくとも自動車両の速度を表示し得る第１の表示装置および第２の表示装置を備える表示システム。
【請求項２】
前記第２の表示装置は、前記第１の表示装置が正常に動作しないときに代替的に表示を行う請求項１に記載の表示システム。
【請求項３】
前記第２の表示装置が正常に動作する温度範囲は、前記第１の表示装置が正常に動作しない温度範囲の少なくとも一部を含んでいる請求項１または２に記載の表示システム。
【請求項４】
前記第２の表示装置は、―１０℃において正常に動作する請求項３に記載の表示システム。
【請求項５】
前記第１の表示装置は、一対の基板と、前記一対の基板間に設けられた液晶層とを備えた液晶表示装置である請求項１から４のいずれかに記載の表示システム。
【請求項６】
前記第２の表示装置は、無機ＥＬ材料層と、前記無機ＥＬ材料層を介して対向する一対の透明電極層とを備えた無機ＥＬ表示装置である請求項５に記載の表示システム。
【請求項７】
前記無機ＥＬ表示装置は、前記液晶表示装置に少なくとも部分的に重なるように前記液晶表示装置の前面に配置されている請求項６に記載の表示システム。
【請求項８】
前記液晶表示装置と前記無機ＥＬ表示装置とは互いに貼り合わされている請求項７に記載の表示システム。
【請求項９】
前記無機ＥＬ表示装置は、セグメント方式で表示を行う請求項７または８に記載の表示システム。
【請求項１０】
前記液晶表示装置と前記無機ＥＬ表示装置との間に設けられ、光を拡散する光拡散素子をさらに備える請求項７または８に記載の表示システム。
【請求項１１】
前記光拡散素子は、前記液晶表示装置が有する複数の画素と前記無機ＥＬ表示装置が有する複数の画素とによるモアレの発生を抑制する請求項１０に記載の表示システム。
【請求項１２】
前記無機ＥＬ表示装置は前記液晶表示装置の一部に重なっており、
前記無機ＥＬ表示装置の側端部のうち、前記液晶表示装置の表示領域と重なる部分に減光処理が施されている請求項７から１１のいずれかに記載の表示システム。
【請求項１３】
前記第１の表示装置および前記第２の表示装置に電力を供給する電源と前記第１の表示装置との間に介在する第１のヒューズと、前記電源と前記第２の表示装置との間に介在し前記第１のヒューズとは異なる第２のヒューズとを備える請求項１から１２のいずれかに記載の表示システム。
【請求項１４】
前記第１の表示装置が表示を行う第１の状態と前記第２の表示装置が表示を行う第２の状態とを切替える表示切替手段を備えた請求項１から１３のいずれかに記載の表示システム。
【請求項１５】
前記表示切替手段は、前記第１の表示装置の温度を検知する温度センサを含み、前記温度センサで検知した温度に応じて前記第１の状態と前記第２の状態とを切替える請求項１４に記載の表示システム。
【請求項１６】
前記第１の表示装置が表示を行う第１の状態と前記第２の表示装置が表示を行う第２の状態とを手動で切替え得る請求項１から１５のいずれかに記載の表示システム。
【請求項１７】
請求項１から１６のいずれかに記載の表示システムを備えたインストルメントパネル。
【請求項１８】
請求項１７に記載のインストルメントパネルを備えた自動車両。
【請求項１９】
第１および第２の表示装置を備え、自動車両に搭載されるインストルメントパネル用の表示システムの制御方法であって、
前記第１の表示装置が正常に動作するか否かを判別する判別ステップと、
前記判別ステップにおいて前記第１の表示装置が正常に動作すると判じた場合に前記第１の表示装置が少なくとも自動車両の速度を表示する第１の表示ステップと、
前記判別ステップにおいて前記第１の表示装置が正常に動作しないと判じた場合に前記第２の表示装置が少なくとも自動車両の速度を表示する第２の表示ステップと、を包含する表示システムの制御方法。
【請求項２０】
前記判別ステップは、前記第１の表示装置の温度を検知する温度検知ステップを包含し、
前記温度検知ステップにおいて検知された前記第１の表示装置の温度に基づいて、前記第１の表示装置が正常に動作するか否かが判別される請求項１９に記載の表示システムの制御方法。
【請求項２１】
前記第１の表示ステップの実行中および前記第２の表示ステップの実行中に前記判別ステップが再び実行される請求項１９または２０に記載の表示システムの制御方法。
【発明の詳細な説明】
【技術分野】
【０００１】
本発明は、表示システムおよびその制御方法に関し、特に、自動車両に搭載されるインストルメントパネル用の表示システムおよびその制御方法に関する。また、本発明は、そのような表示システムを備えたインストルメントパネルや自動車両にも関する。
【背景技術】
【０００２】
近年、液晶表示装置は、薄型で低消費電力であるという特徴を生かし、パーソナルコンピュータなどのＯＡ機器やビデオカメラなどのＡＶ機器に広く利用されている。
【０００３】
従来、自動車のインストルメントパネルには、スピードメーターをはじめとする各種の計器類が設けられていたが、これらの計器類に代えて、液晶表示装置を設け、運転に必要な情報をこの液晶表示装置で表示することが提案されている（例えば特許文献１参照）。
【特許文献１】特開平９−１２３８４８号公報
【発明の開示】
【発明が解決しようとする課題】
【０００４】
しかしながら、自動車は、ＯＡ機器やＡＶ機器よりも過酷な環境下で使用されることが多いため、インストルメントパネルに表示装置を設ける場合、より厳しい環境条件への対応が必要となる。
【０００５】
例えば、液晶表示装置は、低温では応答速度が低下する特性を有しており、−１０℃以下といった低温環境下では正常に動作しないことがあるので、液晶表示装置をインストルメントパネルに搭載した場合、低温環境下でエンジンを始動させた直後には液晶表示装置が正常に動作せず、運転者が運転に必要な情報を得られないために運転を即座に行うことができない可能性がある。
【０００６】
本発明は、上記問題に鑑みてなされたものであり、その目的は、自動車両に搭載されるインストルメントパネルに好適に用いられる表示システム、その制御方法、そのような表示システムを備えたインストルメントパネルおよび自動車両を提供することにある。
【課題を解決するための手段】
【０００７】
本発明による表示システムは、自動車両に搭載されるインストルメントパネル用の表示システムであって、それぞれが少なくとも自動車両の速度を表示し得る第１の表示装置および第２の表示装置を備えており、そのことによって上記目的が達成される。
【０００８】
ある好適な実施形態において、前記第２の表示装置は、前記第１の表示装置が正常に動作しないときに代替的に表示を行う。
【０００９】
ある好適な実施形態において、前記第２の表示装置が正常に動作する温度範囲は、前記第１の表示装置が正常に動作しない温度範囲の少なくとも一部を含んでいる。
【００１０】
ある好適な実施形態において、前記第２の表示装置は、―１０℃において正常に動作する。
【００１１】
ある好適な実施形態において、前記第１の表示装置は、一対の基板と、前記一対の基板間に設けられた液晶層とを備えた液晶表示装置である。
【００１２】
ある好適な実施形態において、前記第２の表示装置は、無機ＥＬ材料層と、前記無機ＥＬ材料層を介して対向する一対の透明電極層とを備えた無機ＥＬ表示装置である。
【００１３】
ある好適な実施形態において、前記無機ＥＬ表示装置は、前記液晶表示装置に少なくとも部分的に重なるように前記液晶表示装置の前面に配置されている。
【００１４】
ある好適な実施形態において、前記液晶表示装置と前記無機ＥＬ表示装置とは互いに貼り合わされている。
【００１５】
ある好適な実施形態において、前記無機ＥＬ表示装置は、セグメント方式で表示を行う。
【００１６】
ある好適な実施形態において、本発明による表示システムは、前記液晶表示装置と前記無機ＥＬ表示装置との間に設けられ、光を拡散する光拡散素子をさらに備える。
【００１７】
ある好適な実施形態において、前記光拡散素子は、前記液晶表示装置が有する複数の画素と前記無機ＥＬ表示装置が有する複数の画素とによるモアレの発生を抑制する。
【００１８】
ある好適な実施形態において、前記無機ＥＬ表示装置は前記液晶表示装置の一部に重なっており、前記無機ＥＬ表示装置の側端部のうち、前記液晶表示装置の表示領域と重なる部分に減光処理が施されている。
【００１９】
ある好適な実施形態において、本発明による表示システムは、前記第１の表示装置および前記第２の表示装置に電力を供給する電源と前記第１の表示装置との間に介在する第１のヒューズと、前記電源と前記第２の表示装置との間に介在し前記第１のヒューズとは異なる第２のヒューズとを備える。
【００２０】
ある好適な実施形態において、本発明による表示システムは、前記第１の表示装置が表示を行う第１の状態と前記第２の表示装置が表示を行う第２の状態とを切替える表示切替手段を備えている。
【００２１】
ある好適な実施形態において、前記表示切替手段は、前記第１の表示装置の温度を検知する温度センサを含み、前記温度センサで検知した温度に応じて前記第１の状態と前記第２の状態とを切替える。
【００２２】
ある好適な実施形態において、本発明による表示システムは、前記第１の表示装置が表示を行う第１の状態と前記第２の表示装置が表示を行う第２の状態とを手動で切替え得る。
【００２３】
本発明によるインストルメントパネルは、上記構成を有する表示システムを備えており、そのことによって上記目的が達成される。
【００２４】
本発明による自動車両は、上記構成を有するインストルメントパネルを備えており、そのことによって上記目的が達成される。
【００２５】
本発明による表示システムの制御方法は、第１および第２の表示装置を備え、自動車両に搭載されるインストルメントパネル用の表示システムの制御方法であって、前記第１の表示装置が正常に動作するか否かを判別する判別ステップと、前記判別ステップにおいて前記第１の表示装置が正常に動作すると判じた場合に前記第１の表示装置が少なくとも自動車両の速度を表示する第１の表示ステップと、前記判別ステップにおいて前記第１の表示装置が正常に動作しないと判じた場合に前記第２の表示装置が少なくとも自動車両の速度を表示する第２の表示ステップと、を包含し、そのことによって上記目的が達成される。
【００２６】
ある好適な実施形態において、前記判別ステップは、前記第１の表示装置の温度を検知する温度検知ステップを包含し、前記温度検知ステップにおいて検知された前記第１の表示装置の温度に基づいて、前記第１の表示装置が正常に動作するか否かが判別される。
【００２７】
ある好適な実施形態において、前記第１の表示ステップの実行中および前記第２の表示ステップの実行中に前記判別ステップが再び実行される。
【発明の効果】
【００２８】
本発明による表示システムは、それぞれが少なくとも自動車両の速度を表示し得る第１の表示装置および第２の表示装置を備えているので、第１の表示装置が正常に動作しないときにも、第２の表示装置によって自動車両の速度を表示することができる。そのため、本発明による表示システムは、自動車両に搭載されるインストルメントパネルに好適に用いることができる。
【発明を実施するための最良の形態】
【００２９】
以下、図面を参照しながら本発明の実施形態を説明する。なお、本発明は以下の実施形態に限定されるものではない。
【００３０】
まず、図１（ａ）および（ｂ）を参照しながら、本実施形態における表示システム１００の構成を説明する。表示システム１００は、自動車両に搭載されるインストルメントパネル用の表示システムである。図１（ａ）は、表示システム１００を模式的に示す上面図であり、図１（ｂ）は、図１（ａ）中の１Ｂ−１Ｂ’線に沿った断面図に相当する。
【００３１】
表示システム１００は、図１（ａ）および（ｂ）に示すように、第１の表示装置１０と、第２の表示装置２０とを備えている。本実施形態における第１の表示装置１０は、一対の基板（例えばガラス基板）１１および１２と、これらの間に設けられた液晶層１３とを備えた液晶表示装置である。また、第２の表示装置２０は、透明な無機ＥＬ（エレクトロルミネセンス）表示装置である。
【００３２】
液晶表示装置１０としては、公知の構成を有する液晶表示装置を広く用いることができる。図では省略して示しているが、基板１１および／または１２の液晶層１３側には、液晶層１３に電圧を印加するための少なくとも一対の電極が設けられており、基板１１および１２の液晶層１３とは反対側には、典型的には一対の偏光板が設けられている。
【００３３】
透明な無機ＥＬ表示装置２０は、液晶表示装置１０の一部に重なるように液晶表示装置１０の前面に配置されている。さらに、無機ＥＬ表示装置２０と液晶表示装置１０とは互いに貼り合わされている。無機ＥＬ表示装置２０と液晶表示装置１０とは、例えば、無機ＥＬ表示装置の裏面全面あるいは額縁領域に付与された接着剤や粘着材を用いて貼り合わされている。
【００３４】
図２に、無機ＥＬ表示装置２０を一部切欠いて示す。無機ＥＬ表示装置２０は、図２に示すように、無機ＥＬ（エレクトロルミネセンス）材料層２１と、無機ＥＬ材料層２１を介して対向する一対の透明電極層２２および２３とを備えている。より具体的には、無機ＥＬ表示装置２０は、透明基板２４、透明電極層２２、透明絶縁層２５、無機ＥＬ材料層２１、透明絶縁層２６、透明電極層２３および透明封止板２７がこの順で積層されて構成されている。無機ＥＬ材料層２１は、透明電極層２２と透明電極層２３とによって印加される電圧に応じて発光する。無機ＥＬ材料層２１の下側に設けられた透明電極層２２は、互いに平行に配列されたストライプ状の電極を有し、無機ＥＬ材料層２１の上側に設けられた透明電極層２３は、透明電極層２２の電極が延びる方向と直交する方向に互いに平行に配列されたストライプ状の電極を有しており、無機ＥＬ表示装置２０は、パッシブマトリクス方式で駆動される。無機ＥＬ表示装置２０は、各構成要素が透明性を有しているので、表示装置全体として透明性（透光性）を有している。無機ＥＬ表示装置２０の構成要素の具体的な材料については後述することとする。
【００３５】
なお、図３に示すような、マルチカラー表示が可能な無機ＥＬ表示装置２０を用いてもよい。図３に示す無機ＥＬ表示装置２０は、黄橙色に発光する無機ＥＬ材料層２１ａと、無機ＥＬ材料層２１ａを介して対向する一対の透明電極層２２ａおよび２３ａと、青色に発光する無機ＥＬ材料層２１ｂと、無機ＥＬ材料層２１ｂを介して対向する一対の透明電極層２２ｂおよび２３ｂとを有しており、マルチカラー表示を行うことができる。より具体的には、この無機ＥＬ表示装置２０は、透明基板２４、透明電極層２２ａ、透明絶縁層２５ａ、無機ＥＬ材料層２１ａ、透明絶縁層２６ａ、透明電極層２３ａ、透明電極層２２ｂ、透明絶縁層２５ｂ、無機ＥＬ材料層２１ｂ、透明絶縁層２６ｂ、透明電極層２３ｂ、透明封止板２７がこの順で積層されて構成されている。
【００３６】
液晶表示装置１０および無機ＥＬ表示装置２０は、それぞれが少なくとも自動車両の速度を表示することができる。図４（ａ）に、液晶表示装置１０が表示を行っている状態の一例を示し、図４（ｂ）に、無機ＥＬ表示装置２０が表示を行っている状態の一例を示す。
【００３７】
図４（ａ）に示す例では、液晶表示装置１０は、自動車両の速度、シフトレバーのポジション、バッテリ残量、水温、燃料の残量を表示している。また、図４（ｂ）に示す例では、無機ＥＬ表示装置２０は、自動車両の速度、シフトレバーのポジション、バッテリ残量、水温、燃料の残量およびウインカーインジケータを表示している。このように、液晶表示装置１０および無機ＥＬ表示装置２０は、それぞれが自動車両の運転に必要な情報を表示することができる。
【００３８】
本発明による表示システム１００は、上述したように、それぞれが少なくとも自動車両の速度を表示し得る液晶表示装置１０および無機ＥＬ表示装置２０を有しているので、液晶表示装置１０が正常に動作しない場合に、無機ＥＬ表示装置２０が代替的に表示を行うことができる。そのため、本発明による表示システム１００をインストルメントパネルに用いると、液晶表示装置１０が正常に動作しない場合にも、運転に必要な情報が得られるため、即座に運転を開始することや、運転を続行することができる。
【００３９】
例えば、液晶表示装置は、液晶層の液晶分子の配向方向を変化させることによって表示を行うので、低温では液晶材料の粘性が高くなって液晶分子の応答速度が低下し、正常に動作しない場合がある。これに対して、無機ＥＬ表示装置は、高い電界で加速された電子によって発光中心を衝突励起させ、その緩和によって発光を行うので、一般的には液晶表示装置よりも動作温度が広く、例えば−１０℃であっても問題なく動作する。
【００４０】
図５に、液晶表示装置１０および無機ＥＬ表示装置２０が正常に動作する温度範囲の一例を示す。図５に示す例では、液晶表示装置１０の正常動作温度範囲が−１０℃〜＋８５℃であるのに対して、無機ＥＬ表示装置２０の正常動作温度範囲は、−４０℃〜＋８５℃であり、無機ＥＬ表示装置２０の正常動作温度範囲は、液晶表示装置１０が正常に動作しない温度範囲の一部を含んでいる。このように、無機ＥＬ表示装置２０は、液晶表示装置１０が正常に動作しない低温状態でも動作し得るので、代替的な表示を行う表示装置として好適に用いることができる。
【００４１】
次に、図６を参照しながら、液晶表示装置１０が表示を行う状態（「第１の状態」と称する。）と、無機ＥＬ表示装置２０が表示を行う状態（「第２の状態」と称する。）とを切替えるための具体的な構成を説明する。図６は、第１の状態と第２の状態とを切替えるための具体的な構成の一例を示す図である。
【００４２】
図６に示す構成では、自動車両が備えるワイパー、ブレーキ、ミラー、ハンドル、エンジン、トランスミッションなどの種々の装置からＣＰＵ４１にそれぞれの装置の状態に関するデータが集められ、ＣＰＵ４１から直接的／間接的に液晶表示装置１０および無機ＥＬ表示装置２０に車両の状態を表すコンディションデータが送られることによって表示が行われる。そして、第１の状態と第２の状態とは、表示切替回路３０によって切替えられる。
【００４３】
本実施形態における表示切替回路３０は、バックアップＣＰＵ３１と、温度センサ３２とを含んで構成されている。バックアップＣＰＵ３１は、ＣＰＵ４１と接続されており、ＣＰＵ４１に送られてくるデータの少なくとも一部はバックアップＣＰＵ３１にも送られる。温度センサ３２は、液晶表示装置１０の温度を検知し、検知した温度のデータをバックアップＣＰＵ３１に送る。表示切替回路３０は、温度センサ３２で検知された液晶表示装置１０の温度に応じて、第１の状態と第２の状態とを切替える。
【００４４】
表示切替回路３０による第１の状態と第２の状態との切替え（表示システム１００の制御）は、具体的には、以下のようにして行われる。まず、液晶表示装置１０が正常に動作するか否かが判別される（判別ステップ）。より具体的には、まず、温度センサ３２によって液晶表示装置１０の温度が検知され（温度検知ステップ）、次に、バックアップＣＰＵ３１によって、温度センサ３２から送られてくる温度データに基づいて、液晶表示装置１０が正常に動作するか否かが判別される。液晶表示装置１０が正常に動作するとバックアップＣＰＵ３１が判じた場合には、ＣＰＵ４１から送られるコンディションデータに基づいて液晶表示装置１０で表示が行われる（第１の表示ステップ）。一方、液晶表示装置１０が正常に動作しないと判じた場合には、バックアップＣＰＵ３１から無機ＥＬ表示装置２０にコンディションデータが送られ、無機ＥＬ表示装置２０で表示が行われる（第２の表示ステップ）。第１の表示ステップの実行中および第２の表示ステップの実行中にも判別ステップは再び（繰り返して）行われ、判別の結果に応じて第１の状態と第２の状態とが切替えられる。
【００４５】
なお、図６に示す構成では、第１の状態と第２の状態とを自動で切替えるための表示切替回路３０に加え、これらの状態を手動で切替えるための切替えボタン４２が設けられているので、第１の状態と第２の状態とを手動で切替えることも可能である。そのため、第１の状態と第２の状態との切替えを、運転者が任意に行うことができる。
【００４６】
上記説明では、液晶表示装置１０が正常に動作しない場合として低温環境下を例示しているが、勿論、他の原因によって液晶表示装置１０が正常に動作しないこともあり得る。そのため、表示システム１００は、液晶表示装置１０が他の原因によって正常に動作しない場合にも無機ＥＬ表示装置２０が正常に動作するように構成されていることが好ましい。
【００４７】
例えば、液晶表示装置１０に電力を供給する電源（バッテリ）と液晶表示装置１０との間に介在するヒューズが過電流によって溶断されると、液晶表示装置１０はもはや表示を行うことができなくなる。電源と液晶表示装置１０との間に介在するヒューズとは別個に、電源と無機ＥＬ表示装置２０との間にヒューズを介在させると、電源と液晶表示装置１０との間のヒューズが溶断されても無機ＥＬ表示装置２０で表示を行うことができる。
【００４８】
また、図６では、表示切替回路３０が温度センサ３２を含む構成を例示したが、温度センサ３２に加えて（あるいは代えて）、液晶表示装置１０のバックライトに流れる電流を検知する電流センサを設けてもよい。このような電流センサを設けると、液晶表示装置１０がバックライトの故障によって正常に動作しないことを表示切替回路３０で判別できるようになる。
【００４９】
なお、本実施形態では、第１の表示装置１０として液晶表示装置を例示したが、第１の表示装置として他の表示装置を用いてもよい。第１の表示装置１０では、図４（ａ）に例示するような情報だけでなく、さらに付加的な情報（例えばカーナビゲーション情報）を表示できることが好ましい。液晶表示装置１０は、薄型であり、高品位で表示を行うことができるので、第１の表示装置１０として好適に用いることができる。
【００５０】
また、第２の表示装置２０として無機ＥＬ表示装置を例示したが、第２の表示装置として他の表示装置を用いてもよい。有機ＥＬ表示装置は、一般的には液晶表示装置よりも正常に動作する温度範囲が広いので、第２の液晶表示装置２０として好適に用いることができる。
【００５１】
また、本実施形態では、第１の表示装置１０と第２の表示装置２０とが重なっている構成を示したが、第１の表示装置１０と第２の表示装置２０とは重なっていなくてもよい。ただし、インストルメントパネルの表面を有効的に利用する観点からは、本実施形態のように、第１の表示装置１０と第２の表示装置２０とを重ねることが好ましい。無機ＥＬ表示装置は、有機ＥＬ表示装置よりも電極材料の透明化が容易であり、表示装置全体としての透明化も容易であるので、第１の表示装置１０と第２の表示装置２０とを重ねる構成において第２の表示装置２０として特に好適に用いることができる。
【００５２】
ここで、透明な無機ＥＬ表示装置２０が備える構成要素の材料を説明する。透明基板２４および透明封止板２７の材料としては、例えばガラスを用いることができ、透明電極層２２および２３の材料としては、例えばＩＴＯを用いることができる。また、透明絶縁層２５および２６の材料としては、例えばＡｌ2Ｏ3、Ｙ2Ｏ3、ＳｉＯ2、Ｓｉ3Ｎ4、Ｔａ2Ｏ5などを用いることができ、無機ＥＬ材料層２１の材料としてはＭｎをドープしたＺｎＳや、ＣｅをドープしたＳｒＳを用いることができる。
【００５３】
マトリクス駆動の無機ＥＬ表示装置２０と液晶表示装置１０とを重ねて配置すると、液晶表示装置１０が有する複数の画素と無機ＥＬ表示装置２０が有する複数の画素とによるモアレが発生し、表示品位が低下することがある。そのため、マトリクス駆動の無機ＥＬ表示装置２０と液晶表示装置１０とを重ねる場合には、図７に示すように、液晶表示装置１０と無機ＥＬ表示装置２０との間に、光を拡散する光拡散素子５０を設けることが好ましい。光拡散素子５０を設けると、液晶表示装置１０から出射した光がこの光拡散素子５０によって拡散されるので、２つの周期的な構造（液晶表示装置１０の画素と無機ＥＬ表示装置２０の画素）に起因したモアレの発生を抑制することができ、表示品位の低下を抑制することができる。光拡散素子５０としては、光を拡散する機能を有する公知の光学素子を用いることができる。例えば、液晶表示装置のアンチグレア層（防眩層）として用いられる素子を用いることができる。また、モアレの発生を防止する観点からは、第２の表示装置２０として、セグメント方式で表示を行う無機ＥＬ表示装置を用いることも好ましい。
【００５４】
また、本実施形態では、無機ＥＬ表示装置２０は、液晶表示装置１０の一部に重なっている。そのため、無機ＥＬ表示装置２０の側端部（エッジ部）のうち、液晶表示装置１０の表示領域と重なる部分でＥＬ発光光が反射され、液晶表示装置１０と無機ＥＬ表示装置２０との境界が輝線として視認されてしまうことがある。図８に示すように、無機ＥＬ表示装置２０の側端部（エッジ部）のうち液晶表示装置１０の表示領域と重なる部分２０Ｅに減光処理を施すと、液晶表示装置１０と無機ＥＬ表示装置２０との境界が視認されることを防止できる。なお、減光処理とは、光の透過率を低くする処理である。ただし、液晶表示装置１０と無機ＥＬ表示装置２０との境界が黒線として視認されることも好ましくないので、減光処理は、完全な遮光処理ではないことが好ましい。また、無機ＥＬ表示装置２０を液晶表示装置１０の全面に重なるように設けると、無機ＥＬ表示装置２０の側端部液晶表示装置１０の表示領域と重ならないので、上述したような問題の発生を防止できる。
【００５５】
上述したように、本発明による表示システム１００は、自動車両のインストルメントパネルとして好適に用いることができる。なお、「自動車両」は、自動推進式の乗物または機械で、旅客や品物の輸送あるいは物の移動のために用いられるものを広く指し、例えば、乗用車、オートバイ、バス、トラック、トラクター、飛行機、モーターボート、土木車両、列車などを指す。勿論、ガソリンエンジンなどの内燃機関を備えたものだけでなく、電動機を備えたものも含む。
【産業上の利用可能性】
【００５６】
本発明によると、自動車両に搭載されるインストルメントパネルに好適に用いられる表示システム、その制御方法、そのような表示システムを備えたインストルメントパネルおよび自動車両が提供される。
【図面の簡単な説明】
【００５７】
【図１】本発明による表示システムを模式的に示す図であり、（ａ）は上面図、（ｂ）は（ａ）中の１Ｂ−１Ｂ’線に沿った断面図である。
【図２】本発明による表示システムに用いられる無機ＥＬ表示装置を模式的に示す一部切欠き斜視図である。
【図３】本発明による表示システムに用いられる他の無機ＥＬ表示装置を模式的に示す斜視図である。
【図４】（ａ）は、液晶表示装置が表示を行っている状態を示し、（ｂ）は、無機ＥＬ表示装置が表示を行っている状態を示す図である。
【図５】液晶表示装置が正常に動作する温度範囲と、無機ＥＬ表示装置が正常に動作する温度範囲とを示す図である。
【図６】本発明による表示システムにおいて、液晶表示装置が表示を行う状態と、無機ＥＬ表示装置が表示を行う状態とを切替えるための構成を模式的に示すブロック図である。
【図７】本発明による表示システムの他の態様を模式的に示す断面図である。
【図８】本発明による表示システムの他の態様を模式的に示す上面図である。
【符号の説明】
【００５８】
１０    液晶表示装置（第１の表示装置）
１１、１２    基板
１３    液晶層
２０    無機ＥＬ表示装置（第２の表示装置）
２１、２１ａ、２１ｂ    無機ＥＬ材料層
２２、２２ａ、２２ｂ、２３、２３ａ、２３ｂ    透明電極層
２４    透明基板
２５、２５ａ、２５ｂ、２６、２６ａ、２６ｂ    透明絶縁層
２７    透明封止板
３０    表示切替回路
３１    バックアップＣＰＵ
３２    温度センサ
４１    ＣＰＵ
４２    切替ボタン
５０    光拡散素子
１００    表示システム
【図１】
2005231530.tif 000003
【図２】
2005231530.tif 000004
【図３】
2005231530.tif 000005
【図４】
2005231530.tif 000006
【図５】
2005231530.tif 000007
【図６】
2005231530.tif 000008
【図７】
2005231530.tif 000009
【図８】
2005231530.tif 000010